(57)【要約】【課題】表示品位の劣化を抑制することが可能な表示装置を提供する。【解決手段】第１主画素を含む複数の主画素が互いに交差する第１方向及び第２方向に配置された表示装置であって、前記第１主画素は、第１色を表示する第１副画素と、前記第１色とは異なる第２色を表示する第２副画素と、前記第１色及び前記第２色とは異なる第３色を表示する第３副画素と、を備え、前記第１副画素及び前記第２副画素は第２方向に並び、前記第１副画素及び前記第３副画素は第１方向に並び、前記第２副画素及び前記第３副画素は第１方向に並び、前記第１副画素及び前記第２副画素の各々は第１方向に第１長さを有し、前記第３副画素は第１方向に前記第１長さより小さい第２長さを有する、表示装置。【選択図】      図９
2018072676.tif 000002
【特許請求の範囲】
【請求項１】
第１主画素を含む複数の主画素が互いに交差する第１方向及び第２方向に配置された表示装置であって、
前記第１主画素は、
第１色を表示する第１副画素と、前記第１色とは異なる第２色を表示する第２副画素と、前記第１色及び前記第２色とは異なる第３色を表示する第３副画素と、を備え、
前記第１副画素及び前記第２副画素は第２方向に並び、前記第１副画素及び前記第３副画素は第１方向に並び、前記第２副画素及び前記第３副画素は第１方向に並び、
前記第１副画素及び前記第２副画素の各々は第１方向に第１長さを有し、前記第３副画素は第１方向に前記第１長さより小さい第２長さを有する、表示装置。
【請求項２】
前記第１副画素及び前記第２副画素は、同一形状であり、
前記第１副画素及び前記第２副画素の各々は、第２方向に前記第１長さより小さい第３長さを有する長方形状に形成されている、請求項１に記載の表示装置。
【請求項３】
前記第３副画素は、第２方向に前記第２長さより大きい第４長さを有する長方形状に形成されている、請求項２に記載の表示装置。
【請求項４】
前記第１副画素及び前記第２副画素の第２方向の長さの総和は、前記第３副画素の第２方向の長さと同等である、請求項１に記載の表示装置。
【請求項５】
前記第１副画素及び前記第２副画素の各々は第１面積を有し、前記第３副画素は第２面積を有し、前記第２面積は前記第１面積の０．５倍より大きく、２倍より小さいである、請求項１乃至４のいずれか１項に記載の表示装置。
【請求項６】
前記第１主画素の第１方向の長さは、前記第１主画素の第２方向の長さと同等である、請求項１乃至５のいずれか１項に記載の表示装置。
【請求項７】
さらに、第４乃至第６副画素を備えた第２主画素、及び、第７乃至第９副画素を備えた第３主画素を備え、
前記第１主画素、前記第２主画素、及び、前記第３主画素は、この順に第１方向に並び、
前記第４副画素及び前記第５副画素は、第２方向に並び、前記第３副画素及び前記第６副画素の間に位置し、それぞれ第１方向に第５長さを有し、
前記第６副画素は第１方向に前記第５長さより小さい第６長さを有し、
前記第７副画素及び前記第８副画素は、第２方向に並び、前記第６副画素及び前記第９副画素の間に位置し、それぞれ第１方向に第７長さを有し、
前記第９副画素は第１方向に前記第７長さより小さい第８長さを有する、請求項１乃至６のいずれか１項に記載の表示装置。
【請求項８】
前記第６副画素及び前記第８副画素は、前記第１色を表示する副画素であり、
前記第４副画素及び前記第９副画素は、前記第２色を表示する副画素であり、
前記第５副画素及び前記第７副画素は、前記第３色を表示する副画素である、請求項７に記載の表示装置。
【請求項９】
前記第４副画素及び前記第７副画素は、前記第１色を表示する副画素であり、
前記第５副画素及び前記第８副画素は、前記第２色を表示する副画素であり、
前記第６副画素及び前記第９副画素は、前記第３色を表示する副画素である、請求項７に記載の表示装置。
【請求項１０】
前記第１乃至第９副画素の各々の面積は同等である、請求項９に記載の表示装置。
【請求項１１】
互いに隣接した第１主画素及び第２主画素を含む複数の主画素が互いに交差する第１方向及び第２方向に配置された表示装置であって、
前記第１主画素は第１乃至第３副画素を備え、前記第３副画素は前記第１副画素及び前記第２副画素より大きな面積を有し、前記第１副画素及び前記第２副画素は第２方向に並び、前記第１副画素及び前記第３副画素は第１方向に並び、前記第２副画素及び前記第３副画素は第１方向に並び、
前記第２主画素は第４乃至第６副画素を備え、前記第６副画素は前記第４副画素及び前記第５副画素より大きな面積を有し、前記第４副画素及び前記第５副画素は第２方向に並び、前記第４副画素及び前記第６副画素は第１方向に並び、前記第５副画素及び前記第６副画素は第１方向に並び、
前記第１乃至第３副画素のいずれか１つは基準画素であり、前記第４乃至第６副画素のいずれか１つは補正対象画素であり、
前記基準画素を第１輝度レベルで駆動するための入力データを第１入力データとし、前記補正対象画素を第２輝度レベルで駆動するための入力データを第２入力データとしたとき、前記第２入力データは、前記第１入力データと前記第２入力データとに基づいて前記第２輝度レベルとは異なる第３輝度レベルの補正データに変換され、
前記補正対象画素は、前記補正データに基づいて駆動される、表示装置。
【請求項１２】
前記基準画素は前記第１副画素であり、前記補正対象画素は前記第６副画素である、請求項１１に記載の表示装置。
【請求項１３】
前記基準画素は前記第３副画素であり、前記補正対象画素は前記第６副画素である、請求項１１に記載の表示装置。
【請求項１４】
前記基準画素は前記第１副画素であり、前記補正対象画素は前記第４副画素である、請求項１１に記載の表示装置。
【請求項１５】
前記基準画素は前記第３副画素であり、前記補正対象画素は前記第４副画素である、請求項１１に記載の表示装置。
【請求項１６】
前記基準画素は、前記補正対象画素と同一色である、請求項１１に記載の表示装置。
【請求項１７】
前記補正データは、前記第１入力データと前記第２入力データとの和の１／２である、請求項１１乃至１６のいずれか１項に記載の表示装置。
【請求項１８】
第１主画素を含む複数の主画素が互いに交差する第１方向及び第２方向に配置された表示装置であって、
前記第１主画素は第１乃至第３副画素を備え、前記第３副画素は前記第１副画素及び前記第２副画素より大きな面積を有し、前記第１副画素及び前記第２副画素は第２方向に並び、前記第１副画素及び前記第３副画素は第１方向に並び、前記第２副画素及び前記第３副画素は第１方向に並び、
前記第１乃至第３副画素のいずれか１つは補正対象画素であり、
前記補正対象画素を第１輝度レベルで駆動するための入力データは、前記第１輝度レベルとは異なる第２輝度レベルの補正データに変換され、
前記補正対象画素は、前記補正データに基づいて駆動される、表示装置。
【請求項１９】
前記補正対象画素は前記第３副画素であり、前記第２輝度レベルは前記第１輝度レベルより低い、請求項１８に記載の表示装置。
【請求項２０】
前記補正対象画素は前記第１副画素であり、前記第２輝度レベルは前記第１輝度レベルより高い、請求項１８または１９に記載の表示装置。
【発明の詳細な説明】
【技術分野】
【０００１】
本発明の実施形態は、表示装置に関する。
【背景技術】
【０００２】
近年、表示装置について、さらなる高精細化の要望が高まっている。高精細化に伴って画素密度が高まると、画質が劣化するおそれがある。
【０００３】
一例として、赤、緑、青のそれぞれの副画素からなる画素において、水平方向及び垂直方向のいずれの方向についても２つの副画素が並ぶように配置された表示装置が知られている。
【先行技術文献】
【特許文献】
【０００４】
【特許文献１】特開平９−２０４１５６号公報
【発明の概要】
【発明が解決しようとする課題】
【０００５】
本実施形態の目的は、表示品位の劣化を抑制することが可能な表示装置を提供することにある。
【課題を解決するための手段】
【０００６】
本実施形態によれば、
第１主画素を含む複数の主画素が互いに交差する第１方向及び第２方向に配置された表示装置であって、前記第１主画素は、第１色を表示する第１副画素と、前記第１色とは異なる第２色を表示する第２副画素と、前記第１色及び前記第２色とは異なる第３色を表示する第３副画素と、を備え、前記第１副画素及び前記第２副画素は第２方向に並び、前記第１副画素及び前記第３副画素は第１方向に並び、前記第２副画素及び前記第３副画素は第１方向に並び、前記第１副画素及び前記第２副画素の各々は第１方向に第１長さを有し、前記第３副画素は第１方向に前記第１長さより小さい第２長さを有する、表示装置が提供される。
【０００７】
本実施形態によれば、
互いに隣接した第１主画素及び第２主画素を含む複数の主画素が互いに交差する第１方向及び第２方向に配置された表示装置であって、前記第１主画素は第１乃至第３副画素を備え、前記第３副画素は前記第１副画素及び前記第２副画素より大きな面積を有し、前記第１副画素及び前記第２副画素は第２方向に並び、前記第１副画素及び前記第３副画素は第１方向に並び、前記第２副画素及び前記第３副画素は第１方向に並び、前記第２主画素は第４乃至第６副画素を備え、前記第６副画素は前記第４副画素及び前記第５副画素より大きな面積を有し、前記第４副画素及び前記第５副画素は第２方向に並び、前記第４副画素及び前記第６副画素は第１方向に並び、前記第５副画素及び前記第６副画素は第１方向に並び、前記第１乃至第３副画素のいずれか１つは基準画素であり、前記第４乃至第６副画素のいずれか１つは補正対象画素であり、前記基準画素を第１輝度レベルで駆動するための入力データを第１入力データとし、前記補正対象画素を第２輝度レベルで駆動するための入力データを第２入力データとしたとき、前記第２入力データは、前記第１入力データと前記第２入力データとに基づいて前記第２輝度レベルとは異なる第３輝度レベルの補正データに変換され、前記補正対象画素は、前記補正データに基づいて駆動される、表示装置が提供される。
【０００８】
本実施形態によれば、
第１主画素を含む複数の主画素が互いに交差する第１方向及び第２方向に配置された表示装置であって、前記第１主画素は第１乃至第３副画素を備え、前記第３副画素は前記第１副画素及び前記第２副画素より大きな面積を有し、前記第１副画素及び前記第２副画素は第２方向に並び、前記第１副画素及び前記第３副画素は第１方向に並び、前記第２副画素及び前記第３副画素は第１方向に並び、前記第１乃至第３副画素のいずれか１つは補正対象画素であり、前記補正対象画素を第１輝度レベルで駆動するための入力データは、前記第１輝度レベルとは異なる第２輝度レベルの補正データに変換され、前記補正対象画素は、前記補正データに基づいて駆動される、表示装置が提供される。
【図面の簡単な説明】
【０００９】
【図１】図１は、本実施形態における表示装置ＤＳＰの構成例を示す斜視図である。
【図２】図２は、本実施形態における表示装置ＤＳＰの構成例を示す図である。
【図３】図３は、図１に示した第１基板ＳＵＢ１の構造例を示す断面図である。
【図４】図４は、図１に示した表示パネルＰＮＬの構造例を示す断面図である。
【図５】図５は、図１に示した表示パネルＰＮＬの他の構造例を示す断面図である。
【図６】図６は、図２に示した表示領域ＤＡにおける画素配列の一例を示す図である。
【図７】図７は、図６に示した主画素を含む表示領域ＤＡに斜線を表示した際の色付きの一例を説明するための図である。
【図８】図８は、図６に示した主画素を含む表示領域ＤＡに市松模様を表示した際の色付きの一例を説明するための図である。
【図９】図９は、図２に示した表示領域ＤＡにおける画素配列の他の例を示す図である。
【図１０】図１０は、図９に示した主画素を含む表示領域ＤＡに斜線を表示した表示状態を説明するための図である。
【図１１】図１１は、図９に示した主画素を含む表示領域ＤＡに市松模様を表示した表示状態を説明するための図である。
【図１２】図１２は、図９に示した画素配列に適用可能な回路構成の一例を示す図である。
【図１３】図１３は、図２に示した表示領域ＤＡにおける画素配列の他の例を示す図である。
【図１４】図１４は、少なくとも１つの副画素を補正データに基づいて駆動する方法を説明するための図である。
【図１５Ａ】図１５Ａは、図６に示した画素配列において最大面積の副画素を補正データに基づいて駆動した状態を説明するための図である。
【図１５Ｂ】図１５Ｂは、図６に示した画素配列において最小面積の副画素を補正データに基づいて駆動した状態を説明するための図である。
【図１５Ｃ】図１５Ｃは、図６に示した画素配列において主画素のすべての副画素を補正データに基づいて駆動した状態を説明するための図である。
【図１６】図１６は、隣接する主画素を補正データに基づいて駆動する方法を説明するための図である。
【図１７Ａ】図１７Ａは、実施例１の基準画素及び補正対象画素を説明するための図である。
【図１７Ｂ】図１７Ｂは、実施例１の基準画素及び２つの補正対象画素を説明するための図である。
【図１７Ｃ】図１７Ｃは、実施例１の基準画素及び３つの補正対象画素を説明するための図である。
【図１７Ｄ】図１７Ｄは、実施例１の基準画素及び４つの補正対象画素を説明するための図である。
【図１８Ａ】図１８Ａは、実施例２の基準画素及び補正対象画素を説明するための図である。
【図１８Ｂ】図１８Ｂは、実施例２の基準画素及び２つの補正対象画素を説明するための図である。
【図１８Ｃ】図１８Ｃは、実施例２の基準画素及び３つの補正対象画素を説明するための図である。
【図１８Ｄ】図１８Ｄは、実施例２の基準画素及び４つの補正対象画素を説明するための図である。
【図１９Ａ】図１９Ａは、実施例３の基準画素及び補正対象画素を説明するための図である。
【図１９Ｂ】図１９Ｂは、実施例３の基準画素及び２つの補正対象画素を説明するための図である。
【図１９Ｃ】図１９Ｃは、実施例３の基準画素及び３つの補正対象画素を説明するための図である。
【図１９Ｄ】図１９Ｄは、実施例３の基準画素及び４つの補正対象画素を説明するための図である。
【図２０Ａ】図２０Ａは、実施例４の基準画素及び補正対象画素を説明するための図である。
【図２０Ｂ】図２０Ｂは、実施例４の基準画素及び２つの補正対象画素を説明するための図である。
【図２０Ｃ】図２０Ｃは、実施例４の基準画素及び３つの補正対象画素を説明するための図である。
【図２０Ｄ】図２０Ｄは、実施例４の基準画素及び４つの補正対象画素を説明するための図である。
【図２１Ａ】図２１Ａは、実施例５の基準画素及び４つの補正対象画素を説明するための図である。
【図２１Ｂ】図２１Ｂは、実施例５の基準画素及び２つの補正対象画素を説明するための図である。
【図２１Ｃ】図２１Ｃは、実施例５の基準画素及び２つの補正対象画素を説明するための図である。
【発明を実施するための形態】
【００１０】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１１】
本実施形態においては、表示装置の一例として、液晶表示装置について説明する。なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。  
本実施形態の表示装置は、例えば、スマートフォン、タブレット端末、携帯電話端末、パーソナルコンピュータ、テレビ受像装置、車載装置、ゲーム機器等の種々の装置に用いることができる。
【００１２】
図１は、本実施形態における表示装置ＤＳＰの構成例を示す斜視図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び、第３方向Ｚは、互いに直交しているが、互いに９０度以外の角度で交差していても良い。本明細書において、第３方向Ｚを示す矢印の先端に向かう方向を上方（あるいは、単に上）と称し、矢印の先端から逆に向かう方向を下方（あるいは、単に下）と称する。また、第３方向Ｚを示す矢印の先端側に表示装置ＤＳＰを観察する観察位置があるものとし、この観察位置から、第１方向Ｘ及び第２方向Ｙで規定されるＸ−Ｙ平面に向かって見ることを平面視という。
【００１３】
表示装置ＤＳＰは、表示パネルＰＮＬ、ＩＣチップ１、フレキシブル基板２などを備えている。ここでの表示パネルＰＮＬは、液晶表示パネルであり、第１基板ＳＵＢ１と、第２基板ＳＵＢ２と、液晶層（後述する液晶層ＬＣ）と、を備えている。第２基板ＳＵＢ２は、第１基板ＳＵＢ１に対向している。表示パネルＰＮＬは、画像を表示する表示領域ＤＡ、及び、表示領域ＤＡを囲む額縁状の非表示領域ＮＤＡを備えている。表示パネルＰＮＬは、表示領域ＤＡにおいて第１方向Ｘ及び第２方向Ｙにマトリクス状に配列された複数の主画素ＭＰを備えている。
【００１４】
本実施形態の表示パネルＰＮＬは、第１基板ＳＵＢ１の下面側からの光を選択的に透過させることで画像を表示する透過表示機能を備えた透過型、第２基板ＳＵＢ２の上面側からの光を選択的に反射させることで画像を表示する反射表示機能を備えた反射型、及び、透過表示機能及び反射表示機能の双方を備えた半透過型のいずれであっても良い。
【００１５】
ＩＣチップ１及びフレキシブル基板２は、第１基板ＳＵＢ１に接続されている。フレキシブル基板２は、表示パネルＰＮＬと外部の回路基板３とを接続している。ＩＣチップ１、フレキシブル基板２、及び、回路基板３は、表示パネルＰＮＬに対して画像を表示するのに必要な信号を供給する信号供給源として機能するものである。なお、本実施形態の表示装置ＤＳＰにおいては、必ずしもＩＣチップ１、フレキシブル基板２、及び、回路基板３を必要としない。
【００１６】
図２は、本実施形態における表示装置ＤＳＰの構成例を示す図である。  
表示装置ＤＳＰは、信号処理部４及び駆動部５を備えている。これらの信号処理部４及び駆動部５は、図１に示した信号供給源のいずれかに備えられる。信号処理部４は、入力データ（例えば、ＲＧＢデータ）が入力されると、所定のデータ変換処理を実行して駆動部５に出力する。駆動部５は、信号線駆動回路ＳＤ、走査線駆動回路ＧＤなどを備えている。駆動部５は、信号処理部４からの各種信号に基づいて表示領域ＤＡの駆動を制御する。
【００１７】
表示領域ＤＡは、複数の主画素ＭＰ、複数の走査線Ｇ（Ｇ１〜Ｇｎ）、複数の信号線Ｓ（Ｓ１〜Ｓｍ）などを備えている。複数の主画素ＭＰは、第１方向Ｘ及び第２方向Ｙにマトリクス状に配置されている。複数の走査線Ｇは、第２方向Ｙに間隔をおいて並んでいる。各走査線Ｇは、走査線駆動回路ＧＤに接続されている。複数の信号線Ｓは、第１方向Ｘに間隔をおいて並んでいる。各信号線Ｓは、信号線駆動回路ＳＤに接続されている。
【００１８】
１つの主画素ＭＰは、例えば３つの副画素Ｐａ、Ｐｂ、Ｐｃを備えている。副画素Ｐａ及びＰｂは、第２方向Ｙに並んでおり、いずれも走査線Ｇ１及びＧ２の間に位置し且つ信号線Ｓ１及びＳ２の間に位置している。副画素Ｐａ及びＰｃは、第１方向Ｘに並んでおり、また、副画素Ｐｂ及びＰｃは、第１方向Ｘに並んでいる。副画素Ｐｃは、走査線Ｇ１及びＧ２の間に位置し且つ信号線Ｓ２及びＳ３の間に位置している。副画素Ｐａは第１色を表示し、副画素Ｐｂは第１色とは異なる第２色を表示し、副画素Ｐｃは第１色及び第２色とは異なる第３色を表示する。
【００１９】
副画素Ｐａは、スイッチング素子ＳＷａ及び画素電極ＰＥａを備えている。スイッチング素子ＳＷａは、走査線Ｇ１及び信号線Ｓ１と電気的に接続されている。画素電極ＰＥａは、スイッチング素子ＳＷａと電気的に接続されている。副画素Ｐｂは、スイッチング素子ＳＷｂ及び画素電極ＰＥｂを備えている。スイッチング素子ＳＷｂは、走査線Ｇ２及び信号線Ｓ２と電気的に接続されている。画素電極ＰＥｂは、スイッチング素子ＳＷｂと電気的に接続されている。副画素Ｐｃは、スイッチング素子ＳＷｃ及び画素電極ＰＥｃを備えている。スイッチング素子ＳＷｃは、走査線Ｇ１及び信号線Ｓ３と電気的に接続されている。画素電極ＰＥｃは、スイッチング素子ＳＷｃと電気的に接続されている。つまり、１つの主画素ＭＰには、２本の走査線及び３本の信号線が割り当てられている。他の主画素Ｐについても同様に構成されている。
【００２０】
図３は、図１に示した第１基板ＳＵＢ１の構造例を示す断面図である。ここでは、図２に示した副画素Ｐａのスイッチング素子ＳＷａ及び画素電極ＰＥａを含む第１基板ＳＵＢ１の構造例について説明する。なお、本実施形態では、基板主面にほぼ平行な横電界を利用する表示モード、基板主面に対してほぼ垂直な縦電界を利用する表示モード、基板主面に対して傾斜した傾斜電界を利用する表示モード、或いは、それらを組み合わせて利用する表示モードのいずれも適用可能である。ここでの基板主面とは、図１に示した第１方向Ｘ及び第２方向Ｙで規定されるＸ−Ｙ平面と平行な面である。図示した例の第１基板ＳＵＢ１は、横電界を利用する表示モードの一つであるＦＦＳ（Fringe Field Switching）モードに対応した構成を有している。
【００２１】
第１基板ＳＵＢ１は、第１絶縁基板１０、第１絶縁膜１１、第２絶縁膜１２、第３絶縁膜１３、第４絶縁膜１４、第５絶縁膜１５、スイッチング素子ＳＷａ、画素電極ＰＥａ、共通電極ＣＥ、第１配向膜ＡＬ１などを備えている。第１絶縁基板１０は、光透過性を有するガラス基板や樹脂基板などである。スイッチング素子ＳＷａは、例えばトップゲート構造であるが、ボトムゲート構造であっても良い。また、図示した例では、スイッチング素子ＳＷａは、ダブルゲート型の薄膜トランジスタによって構成されているが、シングルゲート型の薄膜トランジスタによって構成されていても良い。
【００２２】
第１絶縁膜１１は、第１絶縁基板１０の上に形成されている。スイッチング素子ＳＷａの半導体層ＳＣは、第１絶縁膜１１の上に形成されている。半導体層ＳＣは、例えば、多結晶シリコンによって形成されているが、アモルファスシリコンや、酸化物半導体などによって形成されていても良い。
【００２３】
第２絶縁膜１２は、第１絶縁膜１１及び半導体層ＳＣ１の上に形成されている。走査線Ｇ１は、第２絶縁膜１２上に形成され、その２箇所で半導体層ＳＣと対向している。第３絶縁膜１３は、走査線Ｇ１及び第２絶縁膜１２の上に形成されている。信号線Ｓ１及び中継電極ＲＥは、第３絶縁膜１３の上に形成されている。信号線Ｓ１は、第２絶縁膜１２及び第３絶縁膜１３を貫通するコンタクトホールＣＨ１１を通り半導体層ＳＣにコンタクトしている。中継電極ＲＥは、第２絶縁膜１２及び第３絶縁膜１３を貫通するコンタクトホールＣＨ１２を通り半導体層ＳＣにコンタクトしている。
【００２４】
第４絶縁膜１４は、第３絶縁膜１３、信号線Ｓ１、及び、中継電極ＲＥの上に形成されている。共通電極ＣＥは、第４絶縁膜１４の上に形成されている。第５絶縁膜１５は、第４絶縁膜１４及び共通電極ＣＥの上に形成されている。第１絶縁膜１１、第２絶縁膜１２、第３絶縁膜１３、及び、第５絶縁膜１５は、例えばシリコン窒化物（ＳｉＮ）やシリコン酸化物（ＳｉＯ）などの無機材料によって形成されている。第４絶縁膜１４は、例えばアクリル樹脂などの有機材料によって形成されている。
【００２５】
画素電極ＰＥａは、第５絶縁膜１５の上に形成されている。画素電極ＰＥａは、第４絶縁膜１４及び第５絶縁膜１５を貫通するコンタクトホールＣＨ１３を通り中継電極ＲＥにコンタクトしている。共通電極ＣＥ及び画素電極ＰＥａは、例えばインジウム・ジンク・オキサイド（ＩＺＯ）やインジウム・ティン・オキサイド（ＩＴＯ）などの透明導電材料によって形成されている。第１配向膜ＡＬ１は、第５絶縁膜１５及び画素電極ＰＥａの上に形成されている。第１配向膜ＡＬ１は、例えば、水平配向性を示す材料によって形成されている。
【００２６】
図４は、図１に示した表示パネルＰＮＬの構造例を示す断面図である。ここでは、図２に示した信号線Ｓ１及びＳ２と画素電極ＰＥａを含む表示パネルＰＮＬの構造例について説明する。  
第１基板ＳＵＢ１において、信号線Ｓ１及びＳ２、共通電極ＣＥ、画素電極ＰＥａ、第１絶縁膜１１、第２絶縁膜１２、第３絶縁膜１３、第４絶縁膜１４、第５絶縁膜１５、第１配向膜ＡＬ１は、第１絶縁基板１０と液晶層ＬＣとの間に位置している。信号線Ｓ１及びＳ２は、第３絶縁膜１３と第４絶縁膜１４との間に位置している。共通電極ＣＥは、第４絶縁膜１４と第５絶縁膜１５との間に位置している。画素電極ＰＥａは、第５絶縁膜１５と第１配向膜ＡＬ１との間に位置している。画素電極ＰＥａは、共通電極ＣＥの直上にスリットＳＬを有している。共通電極ＣＥは、信号線Ｓ１と信号線Ｓ２との間のみならず、信号線Ｓ１及びＳ２の直上にも位置している。
【００２７】
第２基板ＳＵＢ２は、第２絶縁基板２０、遮光層ＢＭ、カラーフィルタ層ＣＦ、オーバーコート層ＯＣ、第２配向膜ＡＬ２などを備えている。第２絶縁基板２０は、第１絶縁基板１０と同様に、透明なガラス基板や樹脂基板である。遮光層ＢＭ、カラーフィルタ層ＣＦ、オーバーコート層ＯＣ、及び、第２配向膜ＡＬ２は、第２絶縁基板２０と液晶層ＬＣとの間に位置している。遮光層ＢＭは、信号線Ｓ１及びＳ２と対向する位置に形成されている。なお、図示しないが、遮光層ＢＭは、走査線やスイッチング素子と対向する位置にも形成されている。
【００２８】
カラーフィルタ層ＣＦは、赤色カラーフィルタＣＦＲ、緑色カラーフィルタＣＦＧ、及び、青色カラーフィルタＣＦＢを含んでいる。後述するように、赤色カラーフィルタＣＦＲは、赤色を表示する副画素（ＰＸＲ）に配置される。緑色カラーフィルタＣＦＧは、緑色を表示する副画素（ＰＸＧ）に配置される。青色カラーフィルタＣＦＢは、青色を表示する副画素（ＰＸＢ）に配置される。図示した例では、緑色カラーフィルタＣＦＧは、画素電極ＰＥａと対向する位置に形成されている。カラーフィルタＣＦＲ、ＣＦＧ、及び、ＣＦＢのそれぞれの端部は、遮光層ＢＭと重なっている。これらのＣＦＲ、ＣＦＧ、及び、ＣＦＢは、着色された樹脂材料によって形成されている。なお、図示した例では、カラーフィルタ層ＣＦは、第２基板ＳＵＢ２に形成されたが、第１基板ＳＵＢ１に形成されていても良い。
【００２９】
オーバーコート層ＯＣは、カラーフィルタ層ＣＦを覆っている。このようなオーバーコート層ＯＣは、透明な樹脂材料によって形成されている。第２配向膜ＡＬ２は、オーバーコート層ＯＣの第１基板ＳＵＢ１と対向する側に形成されている。第２配向膜ＡＬ２は、第１配向膜ＡＬ１と同様に、水平配向性を示す材料によって形成されている。
【００３０】
液晶層ＬＣは、第１基板ＳＵＢ１と第２基板ＳＵＢ２との間に保持されており、第１配向膜ＡＬ１及び第２配向膜ＡＬ２と接触している。液晶層ＬＣは、誘電率異方性が負（ネガ型）の液晶材料、あるいは、誘電率異方性が正（ポジ型）の液晶材料によって構成されている。
【００３１】
第１光学素子ＯＤ１は、第１基板ＳＵＢ１の液晶層ＬＣと対向する側とは反対側に配置されている。第２光学素子ＯＤ２は、第２基板ＳＵＢ２の液晶層ＬＣと対向する側とは反対側に配置されている。第１光学素子ＯＤ１は偏光板ＰＬ１を備え、第２光学素子ＯＤ２は偏光板ＰＬ２を備えている。なお、第１光学素子ＯＤ１及び第２光学素子ＯＤ２は、位相差板などの他の光学素子を含んでいても良い。
【００３２】
図示したように、横電界を利用する表示モードでは、画素電極ＰＥ及び共通電極ＣＥの双方は、第１基板ＳＵＢ１に設けられている。なお、縦電界や傾斜電界を利用する表示モードでは、例えば、画素電極ＰＥは第１基板ＳＵＢ１に備えられ、共通電極ＣＥは第２基板ＳＵＢ２に備えられる。
【００３３】
図５は、図１に示した表示パネルＰＮＬの他の構造例を示す断面図である。図５に示した構造例は、図４に示した構造例と比較して、画素電極ＰＥａが第１絶縁基板１０と共通電極ＣＥとの間に位置している点で相違している。ここでは、図４に示した構造例との相違点のみを説明する。画素電極ＰＥａは、第４絶縁膜１４の上に位置し、第５絶縁膜１５によって覆われている。画素電極ＰＥａは、平板状に形成され、スリットは有していない。共通電極ＣＥは、第５絶縁膜１５の上に位置し、第１配向膜ＡＬ１によって覆われている。共通電極ＣＥは、画素電極ＰＥａの直上にスリットＳＬを有している。
【００３４】
図６は、図２に示した表示領域ＤＡにおける画素配列の一例を示す図である。図示した画素配列は、発明者らの先願である特開２０１６−１０２９７１号公報に記載の画素配列と類似するものである。  
ここでは、９個の主画素ＭＰ１乃至ＭＰ９が図示されている。主画素ＭＰ１乃至ＭＰ３はこの順に第１方向Ｘに並び、主画素ＭＰ４乃至ＭＰ６はこの順に第１方向Ｘに並び、主画素ＭＰ７乃至ＭＰ９はこの順に第１方向Ｘに並んでいる。主画素ＭＰ１、ＭＰ４、及び、ＭＰ７はこの順に第２方向Ｙに並び、主画素ＭＰ２、ＭＰ５、及び、ＭＰ８はこの順に第２方向Ｙに並び、主画素ＭＰ３、ＭＰ６、及び、ＭＰ９はこの順に第２方向Ｙに並んでいる。
【００３５】
主画素ＭＰ１は、副画素Ｐ１乃至Ｐ３を備えている。主画素ＭＰ２は、副画素Ｐ４乃至Ｐ６を備えている。主画素ＭＰ３は、副画素Ｐ７乃至Ｐ９を備えている。副画素Ｐ１、Ｐ４、及び、Ｐ７は、図２に示した副画素Ｐａと同様に構成されている。副画素Ｐ２、Ｐ５、及び、Ｐ８は、図２に示した副画素Ｐｂと同様に構成されている。副画素Ｐ３、Ｐ６、及び、Ｐ９は、図２に示した副画素Ｐｃと同様に構成されている。
【００３６】
副画素Ｐ１、Ｐ６、及び、Ｐ８は、緑色を表示する副画素ＰＸＧであり、それぞれ図４に示した緑色カラーフィルタＣＦＧを備えている。副画素Ｐ２、Ｐ４、及び、Ｐ９は、青色を表示する副画素ＰＸＢであり、それぞれ図４に示した青色カラーフィルタＣＦＢを備えている。副画素Ｐ３、Ｐ５、及び、Ｐ７は、赤色を表示する副画素ＰＸＲであり、それぞれ図４に示した赤色カラーフィルタＣＦＲを備えている。なお、図示したように、緑色の副画素ＰＸＧは右下がりの斜線で示し、青色の副画素ＰＸＢは右上がりの斜線で示し、赤色の副画素ＰＸＲは縦線で示す。例えば、上記の緑色、青色、及び、赤色は、それぞれ第１色、第２色、及び、第３色に対応するが、これらの組み合わせに限定されるものではない。
【００３７】
主画素ＭＰ５及びＭＰ９は、主画素ＭＰ１と同一構成である。主画素ＭＰ６及びＭＰ７は、主画素ＭＰ２と同一構成である。主画素ＭＰ４及びＭＰ８は、主画素ＭＰ３と同一構成である。
【００３８】
ここで、第１主画素に対応する主画素ＭＰ１に着目し、副画素Ｐ１は第１副画素に対応し、副画素Ｐ２は第２副画素に対応し、副画素Ｐ３は第３副画素に対応するものとして、以下に説明する。
【００３９】
１つの主画素ＭＰ１は、互いに異なる色の副画素Ｐ１乃至Ｐ３を備えている。副画素Ｐ２は副画素Ｐ１に隣接し、副画素Ｐ３は副画素Ｐ１及びＰ２に隣接している。主画素ＭＰ１は、第１方向Ｘに長さＬｘを有し、第２方向Ｙに長さＬｙを有する。一例では、長さＬｘは長さＬｙと同等であり、主画素ＭＰ１は正方形状に形成されている。  
副画素Ｐ１及び副画素Ｐ２の各々は第１方向Ｘに長さＬ１を有し、副画素Ｐ３は第１方向Ｘに長さＬ２を有する。長さＬ１は、長さＬ２と同等である。  
副画素Ｐ１及び副画素Ｐ２の第２方向Ｙの長さの総和は、副画素Ｐ３の第２方向Ｙの長さと同等である。図示した例では、副画素Ｐ１及び副画素Ｐ２の各々は第２方向Ｙに長さＬ３を有し、副画素Ｐ３は第２方向Ｙに長さＬ４を有する。長さＬ４は、長さＬ３より大きく、長さＬ３の約２倍である。  
副画素Ｐ１及び副画素Ｐ２は同一形状であり、且つ、同一面積を有している。一例では、長さＬ１は長さＬ３と同等であり、副画素Ｐ１及び副画素Ｐ２は正方形状に形成されている。また、長さＬ４は長さＬ２の約２倍であり、副画素Ｐ３は第２方向Ｙに延びた縦長の長方形状に形成されている。副画素Ｐ３の面積は、副画素Ｐ１の面積より大きく、副画素Ｐ１の面積の約２倍である。主画素ＭＰ１においては、副画素Ｐ３は最大面積を有し、副画素Ｐ１及びＰ２は最小の面積を有する。
【００４０】
図示した９個の主画素ＭＰ１乃至ＭＰ９は、一つの表示ブロックを構成している。このような表示ブロックは、第１方向Ｘ及び第２方向Ｙに繰り返し配置され、表示領域ＤＡを構成している。  
図６に示した画素配列においては、表示されるパターンにかかわらず、表示品位の劣化をさらに抑制することが要望されている。
【００４１】
図７は、図６に示した主画素を含む表示領域ＤＡに斜線を表示した際の色付きの一例を説明するための図である。  
図７において、黒く塗りつぶした部分は表示に寄与せず（あるいは黒を表示する領域に相当し）、右下がりの斜線で示した副画素ＰＸＧは緑色を表示し、右上がりの斜線で示した副画素ＰＸＢは青色を表示し、縦線で示した副画素ＰＸＲは赤色を表示するものとする。図示した例では、表示に寄与する部分（あるいは光を透過する部分）は、大面積の副画素ＰＸＢ及びＰＸＧを多く含んでおり、副画素ＰＸＲの面積が副画素ＰＸＢ及びＰＸＧの面積よりも小さい。このため、表示に寄与する部分は、青色及び緑色の表示面積が赤色の表示面積よりも多くなり、総じてシアン色に色付く。つまり、図示したようなパターンを表示した際には、ホワイトバランスが劣化し、図中に示した矢印７１及び７２の部分がシアン色に視認されやすくなる。
【００４２】
図８は、図６に示した主画素を含む表示領域ＤＡに市松模様を表示した際の色付きの一例を説明するための図である。  
図８においても、図７と同様に、黒く塗りつぶした部分は黒を表示する領域であり、右下がりの斜線で示した部分は緑色の副画素ＰＸＧであり、右上がりの斜線で示した部分は青色の副画素ＰＸＢであり、縦線で示した部分は赤色の副画素ＰＸＲは赤色を表示するものとする。図示したようなパターンを表示した際には、図中に示した矢印８１及び８４の部分は、赤色の表示面積が青色及び緑色の表示面積よりも多くなり、総じて赤色に色付く。また、矢印８２の部分は、青色の表示面積が赤色及び緑色の表示面積よりも多くなり、総じて青色に色付く。また、矢印８３の部分は、緑色の表示面積が赤色及び青色の表示面積よりも多くなり、総じて緑色に色付く。つまり、図示したようなパターンを表示した際には、赤色、緑色、青色の縞模様が視認されやすくなる。
【００４３】
図９は、図２に示した表示領域ＤＡにおける画素配列の他の例を示す図である。図９に示した例は、図６に示した例と比較して、各主画素ＭＰにおいて最大面積の副画素と最小面積の副画素との間の面積差を２倍未満に小さくした点で相違している。
【００４４】
ここでは、第１主画素に対応する主画素ＭＰ１に着目し、副画素Ｐ１は第１色を表示する第１副画素に対応し、副画素Ｐ２は第２色を表示する第２副画素に対応し、副画素Ｐ３は第３色を表示する第３副画素に対応するものとして、以下に説明する。なお、第１色、第２色、及び、第３色は、互いに異なる色であり、一例では、第１色が緑色であり、第２色が青色であり、第３色が赤色であるが、これらの組み合わせに限らない。
【００４５】
主画素ＭＰ１は、第１方向Ｘに長さＬｘを有し、第２方向Ｙに長さＬｙを有する。一例では、長さＬｘは長さＬｙと同等であり、主画素ＭＰ１は正方形状に形成されている。  
副画素Ｐ１及び副画素Ｐ２は第２方向Ｙに並び、副画素Ｐ１及び副画素Ｐ３は第１方向Ｘに並び、副画素Ｐ２及び副画素Ｐ３は、第１方向Ｘに並んでいる。副画素Ｐ１及び副画素Ｐ２の各々は第１方向Ｘに長さＬ１を有し、副画素Ｐ３は第１方向Ｘに長さＬ２を有する。長さＬ２は、長さＬ１より小さい。  
副画素Ｐ１及び副画素Ｐ２の第２方向Ｙの長さの総和は、副画素Ｐ３の第２方向Ｙの長さと同等である。図示した例では、副画素Ｐ１及び副画素Ｐ２の各々は第２方向Ｙに長さＬ３を有し、副画素Ｐ３は第２方向Ｙに長さＬ４を有する。長さＬ４は、長さＬ３より大きく、長さＬ３の約２倍である。  
副画素Ｐ１及び副画素Ｐ２は同一形状であり、且つ、同一面積を有している。一例では、長さＬ３は長さＬ１より小さく、副画素Ｐ１及び副画素Ｐ２は第１方向Ｘに延びた横長の長方形状に形成されている。また、長さＬ４は長さＬ２より大きく、副画素Ｐ３は第２方向Ｙに延びた縦長の長方形状に形成されている。副画素Ｐ３の面積Ａ３は、副画素Ｐ１の面積Ａ１の０．５倍より大きく、２倍より小さい。つまり、図示した画素配列によれば、図６に示した画素配列と比較して、副画素Ｐ１及びＰ２のそれぞれの面積Ａ１と、副画素Ｐ３の面積Ａ３との差を低減することができる。面積Ａ３が面積Ａ１の０．５倍より大きく１倍より小さい場合、主画素ＭＰ１において副画素Ｐ１及びＰ２が最大面積となり、副画素Ｐ３が最小面積となる。面積Ａ３が面積Ａ１の１倍である場合、主画素ＭＰ１において副画素Ｐ１乃至Ｐ３が同一面積となる。面積Ａ３が面積Ａ１の１倍より大きく２倍より小さい場合、主画素ＭＰ１において副画素Ｐ１及びＰ２が最小面積となり、副画素Ｐ３が最大面積となる。最も面積差が小さくなる条件は、面積Ａ３が面積Ａ１の１倍となる場合であり、１つの主画素において良好なホワイトバランスを得られる点で望ましい。
【００４６】
第２主画素に対応する主画素ＭＰ２は、第４副画素に対応する副画素Ｐ４、第５副画素に対応する副画素Ｐ５、及び、第６副画素に対応する副画素Ｐ６を備えている。副画素Ｐ４及び副画素Ｐ５の各々は第１方向Ｘに長さＬ５を有し、副画素Ｐ６は第１方向Ｘに長さＬ６を有する。長さＬ６は、長さＬ５より小さい。  
第３主画素に対応する主画素ＭＰ３は、第７副画素に対応する副画素Ｐ７、第８副画素に対応する副画素Ｐ８、及び、第９副画素に対応する副画素Ｐ９を備えている。副画素Ｐ７及び副画素Ｐ８の各々は第１方向Ｘに長さＬ７を有し、副画素Ｐ９は第１方向Ｘに長さＬ８を有する。長さＬ８は、長さＬ７より小さい。
【００４７】
図示した例では、長さＬ５及びＬ７は長さＬ１と同等であり、長さＬ６及びＬ８は長さＬ２と同等である。副画素Ｐ４、Ｐ５、Ｐ７、及び、Ｐ８は、いずれも副画素Ｐ１と同等の面積を有する。副画素Ｐ６及びＰ９は、いずれも副画素Ｐ３と同等の面積を有する。
【００４８】
副画素Ｐ６及び副画素Ｐ８は、副画素Ｐ１と同様に第１色を表示する副画素である。副画素Ｐ４及び副画素Ｐ９は、副画素Ｐ２と同様に第２色を表示する副画素である。副画素Ｐ５及び副画素Ｐ７は、副画素Ｐ３と同様に第３色を表示する副画素である。
【００４９】
主画素ＭＰ５及びＭＰ９は、主画素ＭＰ１と同一構成である。主画素ＭＰ６及びＭＰ７は、主画素ＭＰ２と同一構成である。主画素ＭＰ４及びＭＰ８は、主画素ＭＰ３と同一構成である。図示した９個の主画素ＭＰ１乃至ＭＰ９は、一つの表示ブロックを構成している。このような表示ブロックは、第１方向Ｘ及び第２方向Ｙに繰り返し配置され、表示領域ＤＡを構成している。
【００５０】
図９に示した画素配列を適用することにより、図６に示した画素配列を適用した場合と比較して、特定のパターンを表示した場合の表示品位の劣化を抑制することができる。すなわち、図９に示した画素配列によれば、互いに異なる色の３つの副画素を備えた主画素において、大面積の副画素と小面積の副画素との間の面積差を２倍未満に小さくすることができる。このため、各色の副画素において、表示に寄与する面積の差分が小さくなる。そして、１つの主画素において、赤色成分、緑色成分、及び、青色成分の差分が小さくなる。したがって、１つの主画素の色味は、図６に示した画素配列と比較して、より白色に近づく。また、隣り合う主画素の間での色味の違いも緩和される。
【００５１】
図１０は、図９に示した主画素を含む表示領域ＤＡに斜線を表示した表示状態を説明するための図である。  
図示した例では、表示に寄与する部分（あるいは光を透過する部分）は、副画素ＰＸＲ、副画素ＰＸＧ、及び、副画素ＰＸＢを含んでいるが、それぞれの面積は略同等である。このため、白色とは異なる色への色付きを緩和することができる。つまり、図示したようなパターンを表示した際には、ホワイトバランスが維持され、図中に示した矢印７１及び７２の部分の色付きが視認されにくくなる。
【００５２】
図１１は、図９に示した主画素を含む表示領域ＤＡに市松模様を表示した表示状態を説明するための図である。  
図示した例でも、表示に寄与する部分において、副画素ＰＸＲ、副画素ＰＸＧ、及び、副画素ＰＸＢのそれぞれの面積は略同等である。このため、図示したようなパターンを表示した際には、図中に示した矢印８１乃至８４の部分の色付きを緩和することができ、特定の色の縞模様が視認されにくくなる。
【００５３】
このように、本実施形態によれば、表示品位の劣化を抑制することが可能となる。
【００５４】
図１２は、図９に示した画素配列に適用可能な回路構成の一例を示す図である。ここでは、主画素ＭＰ１、ＭＰ２、ＭＰ４、及び、ＭＰ５を含む領域を図示している。信号線Ｓ１乃至Ｓ７は、この順に第１方向Ｘに並んでいる。図示した例では、信号線Ｓ１及びＳ２の間隔は信号線Ｓ２及びＳ３の間隔よりも大きく、信号線Ｓ２及びＳ３の間隔は信号線Ｓ３及びＳ４の間隔よりも大きい。走査線Ｇ１乃至Ｇ３は、この順に第２方向Ｙに並んでいる。隣り合う走査線の間隔は同一である。
【００５５】
主画素ＭＰ１に着目する。主画素ＭＰ１は、副画素Ｐ１に配置された画素電極ＰＥ１、副画素Ｐ２に配置された画素電極ＰＥ２、及び、副画素Ｐ３に配置された画素電極ＰＥ３を備えている。画素電極ＰＥ１及びＰＥ２は、第２方向Ｙに並んでおり、いずれも走査線Ｇ１及びＧ２の間に位置し且つ信号線Ｓ１及びＳ２の間に位置している。画素電極ＰＥ１及びＰＥ３は、信号線Ｓ２を挟んで第１方向Ｘに並んでおり、また、画素電極ＰＥ２及びＰＥ３は、信号線Ｓ２を挟んで第１方向Ｘに並んでいる。画素電極ＰＥ３は、走査線Ｇ１及びＧ２の間に位置し且つ信号線Ｓ２及びＳ３の間に位置している。本実施形態では、上記の副画素の面積とは、各副画素に配置された画素電極の設置面積に相当する。
【００５６】
スイッチング素子ＳＷ１は、走査線Ｇ１及び信号線Ｓ１と電気的に接続されている。画素電極ＰＥ１は、スイッチング素子ＳＷ１と電気的に接続されている。スイッチング素子ＳＷ２は、走査線Ｇ２及び信号線Ｓ２と電気的に接続されている。画素電極ＰＥ２は、スイッチング素子ＳＷ２と電気的に接続されている。スイッチング素子ＳＷ３は、走査線Ｇ１及び信号線Ｓ３と電気的に接続されている。画素電極ＰＥ３は、スイッチング素子ＳＷ３と電気的に接続されている。
【００５７】
主画素ＭＰ２は、主画素ＭＰ１と同様に構成されている。すなわち、副画素Ｐ４の画素電極ＰＥ４はスイッチング素子ＳＷ４と電気的に接続され、副画素Ｐ５の画素電極ＰＥ５はスイッチング素子ＳＷ５と電気的に接続され、副画素Ｐ６の画素電極ＰＥ６はスイッチング素子ＳＷ６と電気的に接続されている。画素電極ＰＥ３及びＰＥ４は、信号線Ｓ３及びＳ４を挟んで第１方向Ｘに並んでおり、また、画素電極ＰＥ３及びＰＥ５は、信号線Ｓ３及びＳ４を挟んで第１方向Ｘに並んでいる。
【００５８】
図１３は、図２に示した表示領域ＤＡにおける画素配列の他の例を示す図である。図１３に示した例は、図９に示した例と比較して、副画素Ｐ４及び副画素Ｐ７が副画素Ｐ１と同様に第１色を表示する副画素であり、副画素Ｐ５及び副画素Ｐ８が副画素Ｐ２と同様に第２色を表示する副画素であり、副画素Ｐ６及び副画素Ｐ９が副画素Ｐ３と同様に第３色を表示する副画素である点で相違している。つまり、主画素ＭＰ１乃至ＭＰ９のすべてが同一構成である。図示した例では、第１色が緑色であり、第２色が青色であり、第３色が赤色である。なお、第３色が青色であり、第１色及び第２色がそれぞれ赤色及び緑色であっても良い。また、第３色が緑色であり、第１色及び第２色がそれぞれ赤色及び青色であっても良い。  
このような画素配列を適用した場合であっても上記と同様の効果が得られる。
【００５９】
図示した画素配列においては、副画素Ｐ３の面積は、副画素Ｐ１及び副画素Ｐ２と同等の面積であることが望ましい。これにより、１つの主画素において、互いに異なる色の３つの副画素でそれぞれ表示に寄与する面積が同等となり、ホワイトバランスを維持することができる。例えば、図６に示した画素配列においては、主画素ＭＰ１では赤色成分が青色成分及び緑色成分よりも多く、主画素ＭＰ２では緑色成分が赤色成分及び青色成分よりも多く、隣り合う主画素の間で色味の違いが生ずる。一方で、図１３に示した画素配列においては、各主画素において、赤色成分、緑色成分、及び、青色成分が同等となり、隣り合う主画素の間で色味の違いが生じない。このため、すべての主画素を同一の色配置とすることができ、画素配列を簡素化することができる。
【００６０】
次に、図６に示した画素配列が適用された場合の色付き軽減方法について説明する。なお、以下に説明する色付き軽減方法は、上記の図９及び図１３を参照して説明した画素配列と組み合わせても良い。
【００６１】
図１４は、少なくとも１つの副画素を補正データに基づいて駆動する方法を説明するための図である。図中の主画素ＭＰは、図６の主画素ＭＰ１乃至ＭＰ９のいずれにも対応し得る。一例では、図中の主画素ＭＰは図６の主画素ＭＰ１に対応し、図中の副画素Ｐａ、Ｐｂ、及び、Ｐｃは、それぞれ図６の副画素Ｐ１乃至Ｐ３に対応する。副画素Ｐａ、Ｐｂ、及び、Ｐｃは、いずれも補正データに基づいて駆動される補正対象画素となり得る。ここでは、副画素Ｐａ、Ｐｂ、及び、Ｐｃをそれぞれ所定輝度レベルで駆動するための入力データをそれぞれａ、ｂ、ｃと表記し、図中の入力データ（ａ、ｂ、ｃ）は、主画素ＭＰを駆動するために信号処理部４に入力される入力データを示している。
【００６２】
信号処理部４は、入力データ（ａ、ｂ、ｃ）を補正データ（Ｃａ、Ｃｂ、Ｃｃ）に変換し、駆動部５に出力する。一例では、ここでの入力データ及び補正データとは、階調値に対応したデータであり、例えば、０から２５５までの範囲の値である。信号線駆動回路ＳＤは、補正データ（Ｃａ、Ｃｂ、Ｃｃ）に基づき、階調値に対応した電圧値の映像信号（Ｄａ、Ｄｂ、Ｄｃ）を生成する。そして、信号線駆動回路ＳＤは、走査線Ｇ１にオン信号が供給されたタイミングで副画素Ｐａに接続された信号線Ｓ１に映像信号Ｄａを出力し、副画素Ｐｃに接続された信号線Ｓ３に映像信号Ｄｃを出力する。また、信号線駆動回路ＳＤは、走査線Ｇ２にオン信号が供給されたタイミングで副画素Ｐｂに接続された信号線Ｓ２に映像信号Ｄｂを出力する。これにより、映像信号Ｄａ、Ｄｂ、及び、Ｄｃは、副画素Ｐａ、Ｐｂ、及び、Ｐｃに書き込まれる。
【００６３】
ここで、信号処理部４における入力データ（ａ、ｂ、ｃ）から補正データ（Ｃａ、Ｃｂ、Ｃｃ）への変換方法の一例について説明する。  
Ｃａ＝（ａαａ＊βａ）γａ…（１）  
Ｃｂ＝（ｂαｂ＊βｂ）γｂ…（２）  
Ｃｃ＝（ｃαｃ＊βｃ）γｃ…（３）  
式（１）乃至（３）におけるβは輝度レベルを変換する割合を決めるパラメータであり、α及びγは輝度レベルを変換する際にガンマ特性を補正するなどの必要に応じて適宜決定されるパラメータである。
【００６４】
一例として、主画素ＭＰにおいて最大面積の副画素Ｐｃが補正対象画素であり、副画素Ｐｃが入力データｃで駆動された場合の第１輝度レベルよりも低い第２輝度レベルの補正データＣｃで駆動される場合について説明する。例えば、副画素Ｐｃは、第１輝度レベルの０．５倍より高く、１．０倍より低い範囲の第２輝度レベルで駆動されるが、ここでは、第１輝度レベルの０．８倍（βｃ＝０．８）の第２輝度レベルで駆動される場合について説明する。
入力データ（ａ、ｂ、ｃ）は階調値として（１２７、１２７、１２７）であるものとする。式（１）乃至（３）におけるパラメータは次の通りである。
αａ＝１      βａ＝１      γａ＝１  
αｂ＝１      βｂ＝１      γｂ＝１  
αｃ＝２．２  βｃ＝０．８  γｃ＝（１／２．２）  
これらのパラメータを式（１）乃至（３）に代入すると、補正データは以下の通り算出される。  
補正データ（Ｃａ、Ｃｂ、Ｃｃ）＝（１２７、１２７、１１５）  
つまり、副画素Ｐａ及びＰｂはいずれも入力データと同じ補正データに基づいて駆動される一方で、副画素Ｐｃは入力データよりも低い階調値の補正データに基づいて駆動される。副画素Ｐｃにおいて階調値１１５で駆動された場合の第２輝度レベルは、階調値１２７で駆動された場合の第１輝度レベルの０．８倍に相当するものである。
図６に示した画素配列において、主画素ＭＰ１乃至ＭＰ９の各々の最大面積の副画素が補正対象画素である場合、図１５Ａに示したように、主画素ＭＰ１、ＭＰ５、ＭＰ９におけるそれぞれの赤色副画素ＰＸＲと、主画素ＭＰ２、ＭＰ６、ＭＰ７におけるそれぞれの緑色副画素ＰＸＧと、主画素ＭＰ３、ＭＰ４、ＭＰ８におけるそれぞれの青色副画素ＰＸＢとが第１輝度レベルより低い第２輝度レベルで駆動される。
【００６５】
他の例として、主画素ＭＰにおいて最小面積の副画素Ｐａが補正対象画素であり、副画素Ｐａが入力データａで駆動された場合の第１輝度レベルよりも高い第２輝度レベルの補正データＣａで駆動される場合について説明する。例えば、副画素Ｐａは、第１輝度レベルの１．１倍（βａ＝１．１）の第２輝度レベルで駆動される場合について説明する。
入力データ（ａ、ｂ、ｃ）は階調値として（１２７、１２７、１２７）であるものとする。式（１）乃至（３）におけるパラメータは次の通りである。
αａ＝２．２  βａ＝１．１  γａ＝（１／２．２）  
αｂ＝１      βｂ＝１      γｂ＝１  
αｃ＝１      βｃ＝１      γｃ＝１  
これらのパラメータを式（１）乃至（３）に代入すると、補正データは以下の通り算出される。  
補正データ（Ｃａ、Ｃｂ、Ｃｃ）＝（１３３、１２７、１２７）  
つまり、副画素Ｐｂ及びＰｃはいずれも入力データと同じ補正データに基づいて駆動される一方で、副画素Ｐａは入力データよりも高い階調値の補正データに基づいて駆動される。副画素Ｐａにおいて階調値１３３で駆動された場合の第２輝度レベルは、階調値１２７で駆動された場合の第１輝度レベルの１．１倍に相当するものである。
なお、副画素Ｐａのみならず、副画素Ｐｂも補正対象画素とし、αｂ、βｂ、γｂをそれぞれ１以外の値に設定しても良い。
図６に示した画素配列において、主画素ＭＰ１乃至ＭＰ９の各々の最小面積の副画素が補正対象画素である場合、図１５Ｂに示したように、主画素ＭＰ１、ＭＰ５、ＭＰ９におけるそれぞれの緑色副画素ＰＸＧと、主画素ＭＰ２、ＭＰ６、ＭＰ７におけるそれぞれの青色副画素ＰＸＢと、主画素ＭＰ３、ＭＰ４、ＭＰ８におけるそれぞれの赤色副画素ＰＸＲとが第１輝度レベルより高い第２輝度レベルで駆動される。
【００６６】
次に、主画素ＭＰにおいてすべての副画素Ｐａ、Ｐｂ、Ｐｃが補正対象画素であり、副画素Ｐａ及びＰｂがそれぞれ入力データａ及びｂで駆動された場合の第１輝度レベルよりも高い第２輝度レベルの補正データＣａ及びＣｂで駆動されるとともに、副画素Ｐｃが入力データｃで駆動された場合の第１輝度レベルよりも低い第２輝度レベルの補正データＣｃで駆動される場合について説明する。例えば、副画素Ｐａが第１輝度レベルの１．１倍（βａ＝１．１）の第２輝度レベルで駆動され、副画素Ｐｂが第１輝度レベルの１．２倍（βｂ＝１．２）の第２輝度レベルで駆動され、副画素Ｐｃが第１輝度レベルの０．８倍（βｃ＝０．８）の第２輝度レベルで駆動される場合について説明する。
【００６７】
入力データ（ａ、ｂ、ｃ）は階調値として（１２７、１２７、１２７）であるものとする。式（１）乃至（３）におけるパラメータは次の通りである。
【００６８】
αａ＝２．２  βａ＝１．１  γａ＝（１／２．２）  
αｂ＝２．２  βｂ＝１．２  γｂ＝（１／２．２）  
αｃ＝２．２  βｃ＝０．８  γｃ＝（１／２．２）  
これらのパラメータを式（１）乃至（３）に代入すると、補正データは以下の通り算出される。  
補正データ（Ｃａ、Ｃｂ、Ｃｃ）＝（１３３、１３８、１１５）  
【００６９】
つまり、副画素Ｐａ及びＰｂはいずれも入力データよりも高い階調値の補正データに基づいて駆動され、副画素Ｐｃは入力データよりも低い階調値の補正データに基づいて駆動される。副画素Ｐａにおいて階調値１３３で駆動された場合の第２輝度レベルは、階調値１２７で駆動された場合の第１輝度レベルの１．１倍に相当するものである。副画素Ｐｂにおいて階調値１３８で駆動された場合の第２輝度レベルは、階調値１２７で駆動された場合の第１輝度レベルの１．２倍に相当するものである。副画素Ｐｃにおいて階調値１１５で駆動された場合の第２輝度レベルは、階調値１２７で駆動された場合の第１輝度レベルの０．８倍に相当するものである。
図６に示した画素配列において、主画素ＭＰ１乃至ＭＰ９の各々の最大面積の副画素が補正対象画素である場合、図１５Ｃに示したように、主画素ＭＰ１、ＭＰ５、ＭＰ９におけるそれぞれの赤色副画素ＰＸＲと、主画素ＭＰ２、ＭＰ６、ＭＰ７におけるそれぞれの緑色副画素ＰＸＧと、主画素ＭＰ３、ＭＰ４、ＭＰ８におけるそれぞれの青色副画素ＰＸＢとが第１輝度レベルより低い第２輝度レベルで駆動される。
加えて、主画素ＭＰ１、ＭＰ５、ＭＰ９におけるそれぞれの緑色副画素ＰＸＧと、主画素ＭＰ２、ＭＰ６、ＭＰ７におけるそれぞれの青色副画素ＰＸＢと、主画素ＭＰ３、ＭＰ４、ＭＰ８におけるそれぞれの赤色副画素ＰＸＲとが第１輝度レベルより高い第２輝度レベルで駆動される。加えて、主画素ＭＰ１、ＭＰ５、ＭＰ９におけるそれぞれの青色副画素ＰＸＢと、主画素ＭＰ２、ＭＰ６、ＭＰ７におけるそれぞれの赤色副画素ＰＸＲと、主画素ＭＰ３、ＭＰ４、ＭＰ８におけるそれぞれの緑色副画素ＰＸＧとが第１輝度レベルより高い第２輝度レベルで駆動される。
【００７０】
上記の例では、入力データから補正データに変換する際に、α、β、及び、γの各パラメータを規定したが、より単純に、式（１）乃至（３）のα及びγを１に設定し、入力データの階調値をβ倍して補正データの階調値を得ても良い。この場合のβは、例えば、０．５より大きく、２．０より小さい範囲で設定可能である。一例では、βａ及びβｂは１以上２未満の範囲に設定され、βｃは０．５以上１未満の範囲に設定される。これらの各パラメータの値は、信号処理部４において、表示するパターン等に応じて適宜選択することが可能である。
【００７１】
上記の通り、主画素ＭＰにおいて副画素Ｐｃの面積が副画素Ｐａ及びＰｂのそれぞれの面積の２倍であっても、副画素Ｐｃが入力データに基づいて駆動された場合よりも低輝度となるような補正データで駆動されることにより、副画素Ｐａ、Ｐｂ、Ｐｃの間での輝度の差を低減することができる。このため、図７及び図８に示したようなパターンを表示した場合であっても、不所望な色付きを軽減することが可能となる。また、副画素Ｐａ及びＰｂが入力データに基づいて駆動された場合よりも高輝度となるような補正データで駆動されることにより、同様に色付きを軽減することが可能となる。さらに、副画素Ｐｃがより低輝度となるような補正データで駆動されるとともに副画素Ｐａ及びＰｂがより高輝度となるような補正データで駆動されることにより、副画素Ｐａ、Ｐｂ、Ｐｃの間での輝度の差をさらに低減することができる。このため、より一層、不所望な色付きを軽減することが可能となる。
【００７２】
次に、図６に示した画素配列が適用された場合の他の色付き軽減方法について説明する。
【００７３】
図１６は、隣接する主画素を補正データに基づいて駆動する方法を説明するための図である。図中の主画素と図６に示した主画素との対応関係は、以下の通りである。主画素ＭＰｎ-ｗは主画素ＭＰ２に対応し、主画素ＭＰｎ-1は主画素ＭＰ４に対応し、主画素ＭＰｎは主画素ＭＰ５に対応し、主画素ＭＰｎ+1は主画素ＭＰ６に対応し、主画素ＭＰｎ+ｗは主画素ＭＰ８に対応する。
【００７４】
主画素ＭＰｎを第１主画素としたとき、主画素ＭＰｎ-ｗ、ＭＰｎ+ｗ、ＭＰｎ-1、ＭＰｎ+1はいずれも第１主画素に隣接した第２主画素となり得る。この場合、主画素ＭＰｎのいずれかの副画素は基準画素となり、主画素ＭＰｎ-ｗ、ＭＰｎ+ｗ、ＭＰｎ-1、ＭＰｎ+1のそれぞれの副画素のうち、少なくとも１つの副画素は補正データに基づいて駆動される補正対象画素となり得る。
【００７５】
信号処理部４は、上記の例と同様に、入力データ（ａ、ｂ、ｃ）を補正データ（Ｃａ、Ｃｂ、Ｃｃ）に変換し、駆動部５に出力する。図示したように、主画素ＭＰｎ-ｗの副画素Ｐａｎ-ｗ、Ｐｂｎ-ｗ、Ｐｃｎ-ｗをそれぞれ駆動するための入力データ（ａｎ-ｗ、ｂｎ-ｗ、ｃｎ-ｗ）は、補正データ（Ｃａｎ-ｗ、Ｃｂｎ-ｗ、Ｃｃｎ-ｗ）に変換される。主画素ＭＰｎ-1の副画素Ｐａｎ-1、Ｐｂｎ-1、Ｐｃｎ-1をそれぞれ駆動するための入力データ（ａｎ-1、ｂｎ-1、ｃｎ-1）は、補正データ（Ｃａｎ-1、Ｃｂｎ-1、Ｃｃｎ-1）に変換される。主画素ＭＰｎの副画素Ｐａｎ、Ｐｂｎ、Ｐｃｎをそれぞれ駆動するための入力データ（ａｎ、ｂｎ、ｃｎ）は、補正データ（Ｃａｎ、Ｃｂｎ、Ｃｃｎ）に変換される。主画素ＭＰｎ+1の副画素Ｐａｎ+1、Ｐｂｎ+1、Ｐｃｎ+1をそれぞれ駆動するための入力データ（ａｎ+1、ｂｎ+1、ｃｎ+1）は、補正データ（Ｃａｎ+1、Ｃｂｎ+1、Ｃｃｎ+1）に変換される。主画素ＭＰｎ+ｗの副画素Ｐａｎ+ｗ、Ｐｂｎ+ｗ、Ｐｃｎ+ｗをそれぞれ駆動するための入力データ（ａｎ+ｗ、ｂｎ+ｗ、ｃｎ+ｗ）は、補正データ（Ｃａｎ+ｗ、Ｃｂｎ+ｗ、Ｃｃｎ+ｗ）に変換される。
【００７６】
ここで、信号処理部４における入力データ（ａ、ｂ、ｃ）から補正データ（Ｃａ、Ｃｂ、Ｃｃ）への変換方法の一例について説明する。基準画素を第１輝度レベルで駆動するための入力データを第１入力データとし、補正対象画素を第２輝度レベルで駆動するための入力データを第２入力データとしたとき、第２入力データは、第１入力データと第２入力データとに基づいて第２輝度レベルとは異なる第３輝度レベルの補正データに変換される。補正対象画素は、補正データに基づいて駆動される。
【００７７】
≪実施例１≫  
実施例１として、主画素ＭＰｎにおける最小面積の副画素Ｐａｎ（あるいはＰｂｎでもよい）が基準画素であり、主画素ＭＰｎ-1における最大面積の副画素Ｐｃｎ-1が補正対象画素であり、副画素Ｐｃｎ-1が第２入力データｃｎ-1で駆動された場合の第２輝度レベルとは異なる第３輝度レベルの補正データＣｃｎ-1で駆動される場合について説明する。
なお、ここで説明する基準画素及び補正対象画素を図６に示した画素配列に適用すると、図１７Ａに示したように、主画素ＭＰ５の緑色副画素ＰＸＧが基準画素に相当し、主画素ＭＰ４の青色副画素ＰＸＢが補正対象画素に相当する。以下に説明するすべての例において、基準画素は横線で示し、補正対象画素はドットで示す。
【００７８】
主画素ＭＰｎを駆動するための第１入力データを（ａｎ、ｂｎ、ｃｎ）と表記する。主画素ＭＰｎ-1を駆動するための第２入力データを（ａｎ-1、ｂｎ-1、ｃｎ-1）と表記する。第２入力データの補正データを（Ｃａｎ-1、Ｃｂｎ-1、Ｃｃｎ-1）と表記する。なお、ここでは、Ｃａｎ-1＝ａｎ-1とし、Ｃｂｎ-1＝はｂｎ-1とする。補正データＣｃｎ-1を得るための変換式の一例は以下の通りである。  
Ｃｃｎ-1＝((ｃｎ-1αｃｎ-1＊βｃｎ-1)γｃｎ-1＋(ａｎαａｎ＊βａｎ)γａｎ)／２…（４）  
ここでは、第１入力データ（ａｎ、ｂｎ、ｃｎ）は階調値として（１２７、１２７、１２７）であり、第２入力データ（ａｎ-1、ｂｎ-1、ｃｎ-1）は階調値として（０、０、０）であるものとする。式（４）におけるパラメータは次の通りである。  
αｃｎ-1＝２．２  βｃｎ-1＝１．０  γｃｎ-1＝（１／２．２）  
αａｎ  ＝２．２  βａｎ  ＝０．８  γａｎ  ＝（１／２．２）  
これらのパラメータを式（４）に代入すると、補正データは以下の通り算出される。  
補正データ（Ｃａｎ-1、Ｃｂｎ-1、Ｃｃｎ-1）＝（０、０、５８）  
主画素ＭＰｎ-1の副画素Ｐａｎ-1、Ｐｂｎ-1、Ｐｃｎ-1は、それぞれ補正データＣａｎ-1、Ｃｂｎ-1、Ｃｃｎ-1で駆動される。つまり、副画素Ｐａｎ-1及びＰｂｎ-1は、第２入力データと同じ補正データに基づいて駆動される一方で、副画素Ｐｃｎ-1のみが入力データよりも高い階調値の補正データに基づいて駆動される。  
一方で、主画素ＭＰｎの副画素Ｐａｎ、Ｐｂｎ、Ｐｃｎは、それぞれ第１入力データａｎ、ｂｎ、ｃｎで駆動される。  
なお、上記の式（４）において、αｃｎ、αｃｎ-1、γｃｎ、γｃｎ-1をいずれも１に設定し、βｃｎ及びβｃｎ-1を０．５以上１未満の範囲で適宜設定しても良い。例えば、βｃｎ-1を１に設定し、βｃｎを０．８に設定した場合、上記の式（４）によれば、補正データＣｃｎ-1は５０となる。
【００７９】
上記の例では、主画素ＭＰｎの副画素Ｐａｎを基準画素とし、主画素ＭＰｎ-1の副画素Ｐｃｎ-1を補正対象画素とした例について説明したが、この例に限定されるものではない。
【００８０】
以下に、主画素ＭＰｎの副画素Ｐａｎを基準画素とし、主画素ＭＰｎ-ｗの副画素Ｐｃｎ-ｗ、及び、主画素ＭＰｎ+ｗの副画素Ｐｃｎ+ｗを補正対象画素とした例について説明する。なお、ここで説明する基準画素及び補正対象画素を図６に示した画素配列に適用すると、図１７Ｂに示したように、主画素ＭＰ５の緑色副画素ＰＸＧが基準画素に相当し、主画素ＭＰ２の緑色副画素ＰＸＧ及び主画素ＭＰ８の青色副画素ＰＸＢが補正対象画素に相当する。
補正データＣｃｎ-ｗ及びＣｃｎ+ｗを得るための変換式の一例は以下の通りである。  
Ｃｃｎ-ｗ＝Ｃｃｎ+ｗ＝((ｃｎ-ｗαｃｎ-ｗ＊βｃｎ-ｗ)γｃｎ-ｗ＋(ｃｎ+ｗαｃｎ+ｗ＊βｃｎ+ｗ)γｃｎ+ｗ＋(ａｎαａｎ＊βａｎ)γａｎ）／３…（５）  
ここでは、入力データ（ａｎ、ｂｎ、ｃｎ）は階調値として（２２４、２２４、２２４）であり、入力データ（ａｎ-ｗ、ｂｎ-ｗ、ｃｎ-ｗ）は階調値として（６３、６３、６３）であり、入力データ（ａｎ+ｗ、ｂｎ+ｗ、ｃｎ+ｗ）は階調値として（１２７、１２７、１２７）であるものとする。式（５）におけるパラメータは次の通りである。  
αｃｎ-ｗ＝２．２  βｃｎ-ｗ＝１．１  γｃｎ-ｗ＝（１／２．２）  
αｃｎ+ｗ＝２．２  βｃｎ+ｗ＝１．２  γｃｎ+ｗ＝（１／２．２）  
αａｎ  ＝２．２  βａｎ  ＝０．８  γａｎ  ＝（１／２．２）  
これらのパラメータを式（５）に代入すると、補正データは以下の通り算出される。  
補正データ（Ｃａｎ-ｗ、Ｃｂｎ-ｗ、Ｃｃｎ-ｗ）＝（６３、６３、１３５）  
補正データ（Ｃａｎ+ｗ、Ｃｂｎ+ｗ、Ｃｃｎ+ｗ）＝（１２７、１２７、１３５）  
主画素ＭＰｎ-ｗの副画素Ｐａｎ-ｗ、Ｐｂｎ-ｗ、Ｐｃｎ-ｗは、それぞれ補正データＣａｎ-ｗ、Ｃｂｎ-ｗ、Ｃｃｎ-ｗで駆動される。つまり、副画素Ｐａｎ-ｗ及びＰｂｎ-ｗは、入力データと同じ補正データに基づいて駆動される一方で、副画素Ｐｃｎ-ｗのみが入力データよりも高い階調値の補正データに基づいて駆動される。  
主画素ＭＰｎ+ｗの副画素Ｐａｎ+ｗ、Ｐｂｎ+ｗ、Ｐｃｎ+ｗは、それぞれ補正データＣａｎ+ｗ、Ｃｂｎ+ｗ、Ｃｃｎ+ｗで駆動される。つまり、副画素Ｐａｎ+ｗ及びＰｂｎ+ｗは、入力データと同じ補正データに基づいて駆動される一方で、副画素Ｐｃｎ+ｗのみが入力データよりも高い階調値の補正データに基づいて駆動される。  
一方で、主画素ＭＰｎの副画素Ｐａｎ、Ｐｂｎ、Ｐｃｎは、それぞれ入力データａｎ、ｂｎ、ｃｎで駆動される。
【００８１】
以下に、より簡素化した変換式の例について説明する。ここでは、主画素ＭＰｎの副画素Ｐａｎを基準画素とし、主画素ＭＰｎ-1の副画素Ｐｃｎ-1を補正対象画素とする。副画素Ｐｃｎ-1を駆動する補正データＣｃｎ-1を得るための変換式の他の例は以下の通りである。  
Ｃｃｎ-1＝（（ｃｎ-1）＋ａｎ）÷２  …（１１）  
Ｃｃｎ-1＝（（ｃｎ-1）＋（ｃｎ+1）＋ａｎ）÷３  …（１２）  
Ｃｃｎ-1＝（（ｃｎ-1）＋（ｃｎ+1）＋（ｃｎ+ｗ）＋ａｎ）÷４  …（１３）  
Ｃｃｎ-1＝（（ｃｎ-1）＋（ｃｎ+1）＋（ｃｎ+ｗ）＋（ｃｎ-ｗ）＋ａｎ）÷５  …（１４）  
【００８２】
式（１１）は、基準画素Ｐａｎを含む主画素ＭＰｎ、及び、これに隣接する１つの主画素ＭＰｎ-1の双方の輝度を考慮して補正データを得る例に相当する。この場合、補正対象画素は、図１７Ａに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のいずれであっても良い。  
式（１２）は、基準画素Ｐａｎを含む主画素ＭＰｎと、これに隣接する２つの主画素ＭＰｎ-1及びＭＰｎ+1のすべての輝度を考慮して補正データを得る例に相当する。なお、副画素Ｐｎ+1の補正データＣｃｎ+1についても式（１２）に基づいて得ることができる。この場合、補正対象画素は、図１７Ｂに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のうちのいずれか２つの組み合わせであれば良い。  
式（１３）は、基準画素Ｐａｎを含む主画素ＭＰｎと、これに隣接する３つの主画素ＭＰｎ-1、ＭＰｎ+1、及び、ＭＰｎ+ｗのすべての輝度を考慮して補正データを得る例に相当する。なお、副画素Ｐｎ+1の補正データＣｃｎ+1、及び、副画素Ｐｎ+ｗの補正データＣｃｎ+ｗについても式（１３）に基づいて得ることができる。式（１３）では、図１７Ｃに示すように、主画素ＭＰ５の緑色副画素ＰＸＧが基準画素に相当し、主画素ＭＰ４の青色副画素ＰＸＢ、主画素ＭＰ６の緑色副画素ＰＸＧ、及び、主画素ＭＰ８の青色副画素ＰＸＢが補正対象画素に相当する。但し、補正対象画素は、図１７Ｃに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のうちのいずれか３つの組み合わせであれば良い。  
式（１４）は、基準画素Ｐａｎを含む主画素ＭＰｎと、これに隣接する４つの主画素ＭＰｎ-1、ＭＰｎ+1、ＭＰｎ+ｗ、及び、ＭＰｎ-ｗのすべての輝度を考慮して補正データを得る例に相当する。なお、副画素Ｐｎ+1の補正データＣｃｎ+1、副画素Ｐｎ+ｗの補正データＣｃｎ+ｗ、及び、副画素Ｐｎ-ｗの補正データＣｃｎ-ｗについても式（１４）に基づいて得ることができる。式（１４）では、図１７Ｄに示すように、主画素ＭＰ５の緑色副画素ＰＸＧが基準画素に相当し、主画素ＭＰ２の緑色副画素ＰＸＧ、主画素ＭＰ４の青色副画素ＰＸＢ、主画素ＭＰ６の緑色副画素ＰＸＧ、及び、主画素ＭＰ８の青色副画素ＰＸＢが補正対象画素に相当する。
【００８３】
≪実施例２≫  
実施例２として、主画素ＭＰｎにおける最大面積の副画素Ｐｃｎが基準画素であり、主画素ＭＰｎ-1における最大面積の副画素Ｐｃｎ-1が補正対象画素であり、副画素Ｐｃｎ-1が補正データＣｃｎ-1で駆動される場合について説明する。ここで、補正データＣｃｎ-1を得るための簡素化した変換式の例は以下の通りである。  
Ｃｃｎ-1＝（（ｃｎ-1）＋ｃｎ）÷２  …（２１）  
Ｃｃｎ-1＝（（ｃｎ-1）＋（ｃｎ+1）＋ｃｎ）÷３  …（２２）  
Ｃｃｎ-1＝（（ｃｎ-1）＋（ｃｎ+1）＋（ｃｎ+ｗ）＋ｃｎ）÷４  …（２３）  
Ｃｃｎ-1＝（（ｃｎ-1）＋（ｃｎ+1）＋（ｃｎ+ｗ）＋（ｃｎ-ｗ）＋ｃｎ）÷５  …（２４）  
式（２１）では、図１８Ａに示すように、主画素ＭＰ５の赤色副画素ＰＸＲが基準画素に相当し、主画素ＭＰ４の青色副画素ＰＸＢが補正対象画素に相当する。但し、補正対象画素は、図１８Ａに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のいずれかであれば良い。
式（２２）では、図１８Ｂに示すように、主画素ＭＰ５の赤色副画素ＰＸＲが基準画素に相当し、主画素ＭＰ４の青色副画素ＰＸＢ、及び、主画素ＭＰ６の緑色副画素ＰＸＧが補正対象画素に相当する。但し、補正対象画素は、図１８Ｂに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のうちのいずれか２つの組み合わせであれば良い。
式（２３）では、図１８Ｃに示すように、主画素ＭＰ５の赤色副画素ＰＸＲが基準画素に相当し、主画素ＭＰ４の青色副画素ＰＸＢ、主画素ＭＰ６の緑色副画素ＰＸＧ、及び、主画素ＭＰ８の青色副画素ＰＸＢが補正対象画素に相当する。但し、補正対象画素は、図１８Ｃに示す主画素ＭＰ２の緑色副画素ＰＸＧ（副画素Ｐｃｎ-ｗ）、主画素ＭＰ４の青色副画素ＰＸＢ（副画素Ｐｃｎ-1）、主画素ＭＰ６の緑色副画素ＰＸＧ（副画素Ｐｃｎ+1）、主画素ＭＰ８の青色副画素ＰＸＢ（副画素Ｐｃｎ+ｗ）のうちのいずれか３つの組み合わせであれば良い。
式（２４）では、図１８Ｄに示すように、主画素ＭＰ５の赤色副画素ＰＸＲが基準画素に相当し、主画素ＭＰ２の緑色副画素ＰＸＧ、主画素ＭＰ４の青色副画素ＰＸＢ、主画素ＭＰ６の緑色副画素ＰＸＧ、及び、主画素ＭＰ８の青色副画素ＰＸＢが補正対象画素に相当する。  
【００８４】
≪実施例３≫  
実施例３として、主画素ＭＰｎにおける最小面積の副画素Ｐａｎ（あるいはＰｂｎでもよい）が基準画素であり、主画素ＭＰｎ-1における最小面積の副画素Ｐｂｎ-1（あるいはＰａｎ-1でもよい）が補正対象画素であり、副画素Ｐｂｎ-1が補正データＣｂｎ-1で駆動される場合について説明する。ここで、補正データＣｂｎ-1を得るための簡素化した変換式の例は以下の通りである。  
Ｃｂｎ-1＝（（ｂｎ-1）＋ａｎ）÷２  …（３１）  
Ｃｂｎ-1＝（（ｂｎ-1）＋（ｂｎ+1）＋ａｎ）÷３  …（３２）  
Ｃｂｎ-1＝（（ｂｎ-1）＋（ｂｎ+1）＋（ｂｎ+ｗ）＋ａｎ）÷４  …（３３）  
Ｃｂｎ-1＝（（ｂｎ-1）＋（ｂｎ+1）＋（ｂｎ+ｗ）＋（ｂｎ-ｗ）＋ａｎ）÷５  …（３４）  
なお、式（３１）乃至（３４）の各々において、（ｂｎ-1）は（ａｎ-1）に置換することができ、（ｂｎ+1）は（ａｎ+1）に置換することができ、（ｂｎ+ｗ）は（ａｎ+ｗ）に置換することができ、（ｂｎ-ｗ）は（ａｎ-ｗ）に置換することができ、ａｎはｂｎに変換することができる。  
また、補正データＣａｎ-1も式（３１）に基づいて得ることができる。補正データＣａｎ-1、Ｃａｎ+1、Ｃｂｎ+1も式（３２）に基づいて得ることができる。補正データＣａｎ-1、Ｃａｎ+1、Ｃｂｎ+1、Ｃａｎ+ｗ、Ｃｂｎ+ｗも式（３３）に基づいて得ることができる。補正データＣａｎ-1、Ｃａｎ+1、Ｃｂｎ+1、Ｃａｎ+ｗ、Ｃｂｎ+ｗ、Ｃａｎ-ｗ、Ｃｂｎ-ｗも式（３４）に基づいて得ることができる。  
【００８５】
一例では、式（３１）では、図１９Ａに示すように、主画素ＭＰ５の緑色副画素ＰＸＧが基準画素に相当し、主画素ＭＰ４の緑色副画素ＰＸＧが補正対象画素に相当する。但し、補正対象画素は、図１９Ａに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のいずれかであれば良い。
式（３２）では、図１９Ｂに示すように、主画素ＭＰ５の緑色副画素ＰＸＧが基準画素に相当し、主画素ＭＰ４の緑色副画素ＰＸＧ、及び、主画素ＭＰ６の赤色副画素ＰＸＲが補正対象画素に相当する。但し、補正対象画素は、図１９Ｂに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のうちのいずれか２つの組み合わせであれば良い。
式（３３）では、図１９Ｃに示すように、主画素ＭＰ５の緑色副画素ＰＸＧが基準画素に相当し、主画素ＭＰ４の緑色副画素ＰＸＧ、主画素ＭＰ６の赤色副画素ＰＸＲ、及び、主画素ＭＰ８の緑色副画素ＰＸＧが補正対象画素に相当する。但し、補正対象画素は、図１９Ｃに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のうちのいずれか３つの組み合わせであれば良い。
式（３４）では、図１９Ｄに示すように、主画素ＭＰ５の緑色副画素ＰＸＧが基準画素に相当し、主画素ＭＰ２の赤色副画素ＰＸＲ、主画素ＭＰ４の緑色副画素ＰＸＧ、主画素ＭＰ６の赤色副画素ＰＸＲ、及び、主画素ＭＰ８の緑色副画素ＰＸＧが補正対象画素に相当する。
【００８６】
≪実施例４≫  
実施例４として、主画素ＭＰｎにおける最大面積の副画素Ｐｃｎが基準画素であり、主画素ＭＰｎ-1における最小面積の副画素Ｐｂｎ-1（あるいはＰａｎ-1でもよい）が補正対象画素であり、副画素Ｐｂｎ-1が補正データＣｂｎ-1で駆動される場合について説明する。ここで、補正データＣｂｎ-1を得るための簡素化した変換式の例は以下の通りである。  
Ｃｂｎ-1＝（（ｂｎ-1）＋ｃｎ）÷２  …（４１）  
Ｃｂｎ-1＝（（ｂｎ-1）＋（ｂｎ+1）＋ｃｎ）÷３  …（４２）  
Ｃｂｎ-1＝（（ｂｎ-1）＋（ｂｎ+1）＋（ｂｎ+ｗ）＋ｃｎ）÷４  …（４３）  
Ｃｂｎ-1＝（（ｂｎ-1）＋（ｂｎ+1）＋（ｂｎ+ｗ）＋（ｂｎ-ｗ）＋ｃｎ）÷５  …（４４）  
なお、この実施例４においても、実施例３で説明したような置換ができるとともに、他の補正データも式（４１）乃至（４４）に基づいて得ることができる。
一例では、式（４１）では、図２０Ａに示すように、主画素ＭＰ５の赤色副画素ＰＸＲが基準画素に相当し、主画素ＭＰ４の緑色副画素ＰＸＧが補正対象画素に相当する。但し、補正対象画素は、図２０Ａに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のいずれかであれば良い。
式（４２）では、図２０Ｂに示すように、主画素ＭＰ５の赤色副画素ＰＸＲが基準画素に相当し、主画素ＭＰ４の緑色副画素ＰＸＧ、及び、主画素ＭＰ６の赤色副画素ＰＸＲが補正対象画素に相当する。但し、補正対象画素は、図２０Ｂに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のうちのいずれか２つの組み合わせであれば良い。
式（４３）では、図２０Ｃに示すように、主画素ＭＰ５の赤色副画素ＰＸＲが基準画素に相当し、主画素ＭＰ４の緑色副画素ＰＸＧ、主画素ＭＰ６の赤色副画素ＰＸＲ、及び、主画素ＭＰ８の緑色副画素ＰＸＧが補正対象画素に相当する。但し、補正対象画素は、図２０Ｃに示す主画素ＭＰ２の青色副画素ＰＸＢ（副画素Ｐａｎ-ｗ）及び赤色副画素ＰＸＲ（副画素Ｐｂｎ-ｗ）、主画素ＭＰ４の赤色副画素ＰＸＲ（副画素Ｐａｎ-1）及び緑色副画素ＰＸＧ（副画素Ｐｂｎ-1）、主画素ＭＰ６の青色副画素ＰＸＢ（副画素Ｐａｎ+1）及び赤色副画素ＰＸＲ（副画素Ｐｂｎ+1）、主画素ＭＰ８の赤色副画素ＰＸＲ（副画素Ｐａｎ+ｗ）及び緑色副画素ＰＸＧ（副画素Ｐｂｎ+ｗ）のうちのいずれか３つの組み合わせであれば良い。
式（４４）では、図２０Ｄに示すように、主画素ＭＰ５の赤色副画素ＰＸＲが基準画素に相当し、主画素ＭＰ２の赤色副画素ＰＸＲ、主画素ＭＰ４の緑色副画素ＰＸＧ、主画素ＭＰ６の赤色副画素ＰＸＲ、及び、主画素ＭＰ８の緑色副画素ＰＸＧが補正対象画素に相当する。
【００８７】
≪実施例５≫  
実施例５として、主画素ＭＰｎにおけるいずれの副画素が基準画素であり、隣接する主画素ＭＰｎ-1におけるいずれかの副画素が補正対象画素であり、基準画素と補正対象画素とが同一色の副画素である場合について説明する。
【００８８】
まず、主画素ＭＰｎにおける最大面積の副画素Ｐｃｎが基準画素であり、主画素ＭＰｎ-1における最小面積の副画素Ｐａｎ-1が補正対象画素である場合について説明する。図６に示したように、副画素Ｐｃｎ及び副画素Ｐａｎ-1は、いずれも赤色を表示する副画素である。ここで、副画素Ｐａｎ-1の補正データＣａｎ-1を得るための簡素化した変換式の例は以下の通りである。  
Ｃａｎ-1＝（（ｂｎ-ｗ）＋（ａｎ-1）＋（ｂｎ+1）＋（ａｎ+ｗ）＋ｃｎ）÷５  …（５１）  
式（５１）は、基準画素Ｐｃｎと、主画素ＭＰｎに隣接する４つの主画素ＭＰｎ-1、ＭＰｎ+1、ＭＰｎ+ｗ、及び、ＭＰｎ-ｗにおける基準画素Ｐｃｎと同じ赤色の小さい副画素すべての輝度を考慮して補正データを得る例に相当する。補正データＣｂｎ-ｗ、Ｃｂｎ+1、Ｃａｎ+ｗ、Ｃｃｎも式（５１）に基づいて得ることができる。
式（５１）では、図２１Ａに示すように、主画素ＭＰ５の赤色副画素ＰＸＲが基準画素に相当し、主画素ＭＰ２、主画素ＭＰ４、主画素ＭＰ６、及び、主画素ＭＰ８のそれぞれの赤色副画素ＰＸＲが補正対象画素に相当する。
【００８９】
次に、主画素ＭＰｎにおける最小面積の副画素Ｐａｎが基準画素であり、主画素ＭＰｎ-1における最小面積の副画素Ｐｂｎ-1が補正対象画素である場合について説明する。図６に示したように、副画素Ｐａｎ及び副画素Ｐｂｎ-1は、いずれも緑色を表示する副画素である。ここで、副画素Ｐｂｎ-1の補正データＣｂｎ-1を得るための簡素化した変換式の例は以下の通りである。  
Ｃｂｎ-1＝（（ｂｎ-1）＋（ｂｎ+ｗ）＋ａｎ）÷３  …（５２）  
式（５２）は、基準画素Ｐａｎと、主画素ＭＰｎに隣接する４つの主画素ＭＰｎ-1、ＭＰｎ+1、ＭＰｎ+ｗ、及び、ＭＰｎ-ｗにおける基準画素Ｐａｎと同じ緑色の小さい副画素すべての輝度を考慮して補正データを得る例に相当する。補正データＣｂｎ+ｗ、Ｃａｎも式（５２）に基づいて得ることができる。  
また、式（５２）において、ａｎをｂｎに置換することができる。つまり、基準画素を青色の副画素に置換することができる。この場合には、（ｂｎ-1）は（ａｎ+1）に置換され、（ｂｎ+ｗ）は（ａｎ-ｗ）に置換される。
式（５２）では、図２１Ｂに示すように、主画素ＭＰ５の緑色副画素ＰＸＧが基準画素に相当し、主画素ＭＰ４、及び、主画素ＭＰ８のそれぞれの緑色副画素ＰＸＧが補正対象画素に相当する。
【００９０】
次に、主画素ＭＰｎにおける最小面積の副画素Ｐｂｎが基準画素であり、主画素ＭＰｎ-1における最大面積の副画素Ｐｃｎ-1が補正対象画素である場合について説明する。図６に示したように、副画素Ｐｂｎ及び副画素Ｐｃｎ-1は、いずれも青色を表示する副画素である。ここで、副画素Ｐｃｎ-1の補正データＣｃｎ-1を得るための簡素化した変換式の例は以下の通りである。  
Ｃｃｎ-1＝（（ｃｎ-1）＋（ｃｎ+ｗ）＋ｂｎ）÷３  …（５３）  
式（５３）は、基準画素Ｐｂｎと、主画素ＭＰｎに隣接する４つの主画素ＭＰｎ-1、ＭＰｎ+1、ＭＰｎ+ｗ、及び、ＭＰｎ-ｗにおける基準画素Ｐｂｎと同じ青色の大きい副画素すべての輝度を考慮して補正データを得る例に相当する。補正データＣｃｎ+ｗ、Ｃｂｎも式（５３）に基づいて得ることができる。  
また、式（５３）において、ｂｎをａｎに置換することができる。つまり、基準画素を緑色の副画素に置換することができる。この場合には、（ｃｎ-1）は（ｃｎ+1）に置換され、（ｃｎ+ｗ）は（ｃｎ-ｗ）に置換される。
式（５３）では、図２１Ｃに示すように、主画素ＭＰ５の青色副画素ＰＸＢが基準画素に相当し、主画素ＭＰ２、及び、主画素ＭＰ６のそれぞれの青色副画素ＰＸＢが補正対象画素に相当する。
【００９１】
以上説明したように、本実施形態によれば、表示品位の劣化を抑制することが可能な表示装置を提供することができる。
【００９２】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９３】
ＤＳＰ…表示装置  ＰＮＬ…表示パネル  ＭＰ…主画素  Ｐ…副画素
４…信号処理部  ５…駆動部
ＰＸＲ…赤色画素  ＰＸＧ…緑色画素  ＰＸＢ…青色画素
【図１】
2018072676.tif 000003
【図２】
2018072676.tif 000004
【図３】
2018072676.tif 000005
【図４】
2018072676.tif 000006
【図５】
2018072676.tif 000007
【図６】
2018072676.tif 000008
【図７】
2018072676.tif 000009
【図８】
2018072676.tif 000010
【図９】
2018072676.tif 000011
【図１０】
2018072676.tif 000012
【図１１】
2018072676.tif 000013
【図１２】
2018072676.tif 000014
【図１３】
2018072676.tif 000015
【図１４】
2018072676.tif 000016
【図１５Ａ】
2018072676.tif 000017
【図１５Ｂ】
2018072676.tif 000018
【図１５Ｃ】
2018072676.tif 000019
【図１６】
2018072676.tif 000020
【図１７Ａ】
2018072676.tif 000021
【図１７Ｂ】
2018072676.tif 000022
【図１７Ｃ】
2018072676.tif 000023
【図１７Ｄ】
2018072676.tif 000024
【図１８Ａ】
2018072676.tif 000025
【図１８Ｂ】
2018072676.tif 000026
【図１８Ｃ】
2018072676.tif 000027
【図１８Ｄ】
2018072676.tif 000028
【図１９Ａ】
2018072676.tif 000029
【図１９Ｂ】
2018072676.tif 000030
【図１９Ｃ】
2018072676.tif 000031
【図１９Ｄ】
2018072676.tif 000032
【図２０Ａ】
2018072676.tif 000033
【図２０Ｂ】
2018072676.tif 000034
【図２０Ｃ】
2018072676.tif 000035
【図２０Ｄ】
2018072676.tif 000036
【図２１Ａ】
2018072676.tif 000037
【図２１Ｂ】
2018072676.tif 000038
【図２１Ｃ】
2018072676.tif 000039